(57)【特許請求の範囲】
【請求項１】
天井に配設される本体部と、
本体部からワイヤにて吊持されて本体部に設けた駆動部にて昇降される物干し竿と、
ワイヤによる物干し竿の吊り下げ長さに応じて増減する検知電圧値を検知する検知手段と、
下限設定電圧値に上記検知電圧値が一致したときに駆動部の駆動停止を行う制御部と、
下限設定電圧値の設定値を変更するか又は、物干し竿の吊り下げ長さと検知電圧値との対応関係を変更する下限停止位置調節杆と
を備え、
前記本体部は、
前記天井に取り付けられると共に前記駆動部、前記検知手段、前記制御部、及び前記下限停止位置調節杆が取り付けられる板状の本体ハウジングと、
前記本体ハウジングの下方を覆うように取り付けられる本体カバーと
を有しており、
前記本体カバーは、
主カバーと、
前記主カバーに着脱自在に設けられて前記下限停止位置調節杆の下方を覆う端部カバー部と
を有し、
前記主カバーは、
上限位置にある前記物干し竿を収容し且つ当該物干し竿の導入時に溝側面で位置規制するため凹所状に形成された竿収容部と、
前記竿収容部の奥部に突没自在に設けられ前記竿収容部内の上限位置にある前記物干し竿により押圧される接触部材と
を有しており、
前記制御部は、前記接触部材が前記物干し竿により押圧されると前記駆動部の駆動停止を行なう
ことを特徴とする昇降物干し装置。
【発明の詳細な説明】
【技術分野】
【０００１】
本発明は、昇降物干し装置に関するものである。
【背景技術】
【０００２】
従来から、図６（ａ）のように天井に配設する本体部２と、本体部２からワイヤ１５にて吊持されて本体部２に設けた駆動部３にて昇降される物干し竿４とを備えた昇降物干し装置１が知られている（たとえば特許文献１）。物干し竿４はその下限停止位置で停止されて使用者が洗濯物をセットすることができるようにされており、この物干し竿４の下限停止位置での停止制御は、図６（ｂ）のように、駆動部３に内装したギア３ａに穿設したスリット３０への光線の透過の有無を検知する光センサと、光センサの検知結果により駆動部３の停止制御をする制御部とで行われている。
【０００３】
ところで、近年、住宅の分野でも広い住居空間を得られる天井高さの高い部屋が好まれて広く普及するようになってきており、従前の比較的天井高さの低い部屋に取り付けることを前提に製造された昇降物干し装置１を天井高さの高い部屋に取り付けた場合には、下限停止位置にある物干し竿４の床面からの高さが使用に適さないほどに高い位置になる場合が生じるようになり、また設定された物干し竿４の下限停止位置が使用者の体格によっては使用に不便な高さになる場合もあり、施工現場ごとに物干し竿４の下限停止位置を設定自在にするニーズは高まっている。
【０００４】
上記図６の昇降物干し装置１では、物干し竿４の下限停止位置は駆動部３に内装したスリット３０付きギア３ａや光センサの取付位置を変更するなどで設定変更できるのではあるが、駆動部３を分解したり光センサの取付位置変更を施工者のカンに頼って行う必要があり、熟練を要する困難な調節作業を必要とするものであり、施工現場で簡単に物干し竿４の下限停止位置を設定自在にできる昇降物干し装置１の実現が切望されているのが現状であった。
【特許文献１】特許第３４７５８２３号公報
【発明の開示】
【発明が解決しようとする課題】
【０００５】
本発明は上記の点に鑑みてなされたものであり、その目的とするところは、施工現場で簡単に物干し竿の下限停止位置を自在に設定できる昇降物干し装置を提供することにある。
【課題を解決するための手段】
【０００６】
上記課題を解決するために請求項１に係る昇降物干し装置１にあっては、天井に配設される本体部２と、本体部２からワイヤ１５にて吊持されて本体部２に設けた駆動部３にて昇降される物干し竿４と、ワイヤ１５による物干し竿４の吊り下げ長さに応じて増減する検知電圧値を検知する検知手段６と、下限設定電圧値に上記検知電圧値が一致したときに駆動部３の駆動停止を行う制御部７と、下限設定電圧値の設定値を変更するか又は、物干し竿４の吊り下げ長さと検知電圧値との対応関係を変更する下限停止位置調節杆５とを備え、前記本体部２は、前記天井に取り付けられると共に前記駆動部３、前記検知手段６、前記制御部７、及び前記下限停止位置調節杆５が取り付けられる板状の本体ハウジング１３と、前記本体ハウジング１３の下方を覆うように取り付けられる本体カバー１４とを有しており、前記本体カバー１４は、主カバー１４ａと、前記主カバー１４ａに着脱自在に設けられて前記下限停止位置調節杆５の下方を覆う端部カバー部１４ｂとを有し、前記主カバー１４ａは、上限位置にある前記物干し竿４を収容し且つ当該物干し竿４の導入時に溝側面で位置規制するため凹所上に形成された竿収容部１０と、前記竿収容部１０の奥部に突没自在に設けられ前記竿収容部１０内の上限位置にある前記物干し竿４により押圧される接触部材１１とを有しており、前記制御部７は、前記接触部材１１が前記物干し竿４により押圧されると前記駆動部３の駆動停止を行なうことを特徴とする。
【０００７】
これによると、設置する天井の天井高さや使用者の体格などに合わせて、昇降物干し装置１における洗濯物のセット位置である物干し竿４の下限停止位置を、下限停止位置調節杆５の操作によって簡単に設定できるのであり、昇降物干し装置１の良好な使い勝手を簡単に確保することができるのである。
【発明の効果】
【０００８】
本発明にあっては、昇降物干し装置の設置箇所に応じて簡単に物干し竿の下限停止位置を設定自在にできる、という利点を有する。
【発明を実施するための最良の形態】
【０００９】
以下、本発明を添付図面に示す実施形態に基いて説明する。
【００１０】
本例の昇降物干し装置１は、図１，２のように天井に配設される本体部２と、本体部２に設けた駆動部３にて昇降される物干し竿４とを備えており、そして、図１（ｂ）のように下限位置検知手段８によって物干し竿４の下限停止位置Ａを簡単に設定変更できるようにしたことに特徴を有している。以下、詳述する。
【００１１】
本体部２は、物干し竿４の長さ方向に長尺に形成されており、具体的には、天井に取り付ける板状の本体ハウジング１３と、本体ハウジング１３の下方を覆うように被着される本体カバー１４とで構成される。本体ハウジング１３には駆動部３や下限停止位置検知手段８や上限停止位置検知手段９や制御部７が装着される。駆動部３は、物干し竿４の長さ方向の両端をそれぞれ吊持する一対のワイヤ１５、各ワイヤ１５を巻装する一対の巻き取りドラム、巻き取りドラムを回転させてワイヤ１５の巻き取りや引き出しを行うモータ１７や機構部１６を有して構成される。詳しくは、本体ハウジング１３の長手方向の両端部には巻き取りドラムや機構部１６がそれぞれ配置されており、本体ハウジング１３の長手方向の一端部にはモータ１７が配置されると共に、モータ１７の出力を伝達するシャフト１８が上記一対の機構部１６間に渡すように設けられている。
【００１２】
なお、駆動部３によると本体部２から吊持された物干し竿４を昇降するのであるが、その昇降操作はリモコン操作器にて行われるのであり、リモコン操作器からの送信信号は受信部２１で受光されて制御部７を介して駆動部３の駆動制御が行われる。ただし、物干し竿４がその下限位置に下降した際や上限位置に上昇した際には下限停止位置検知手段８や上限停止位置検知手段９の検知信号に応じて制御部７によって駆動部３が強制停止される。なお、図中２０は本体カバー１４に設けた透光窓であり、この透光窓２０の内部に制御部７に接続された受信部２１が配設されている。また、図中１９はモータ１７に給電する配電線を挿通させるための貫通孔である。
【００１３】
また、本体カバー１４には下方に開口する凹所状の竿収容部１０が凹設されている。この竿収容部１０は上限停止位置にある物干し竿４を収容する部位であり、竿収容部１０内の上限停止位置にある物干し竿４は上限停止位置検知手段９にて検知され、制御部７によって駆動部３が停止される制御が行われる。ここで、上限停止位置検知手段９には、竿収容部１０の最奥部に突没自在にされた接触部材１１を有し、この接触部材１１が竿収容部１０内の上限停止位置にある物干し竿４によって押圧されることで、上限停止位置にある物干し竿４を検知するようにした接触式のセンサが用いられており、上限停止位置にある物干し竿４を直接検知することにより物干し竿４の上昇停止制御を正確に行うことが可能にされている。なお、物干し竿４は揺動しつつ上昇する場合もあるが、凹所状の竿収容部１０への導入時には竿収容部１０の溝側面にて物干し竿４の位置が規制され、この上で竿収容部１０の最奥部に設けた上限停止位置検知手段９にて上限停止位置にある物干し竿４が検知されるから、この点でも物干し竿４の上昇停止制御の正確性の向上が図られている。
【００１４】
一方、物干し竿４の下限停止制御は、上述のように下限停止位置検知手段８と制御部７の協働で行われるが、詳しくは、下限停止位置検知手段８は物干し竿４の吊り下げ長さに応じて増減する検知電圧値を検知する検知手段６を有しており、制御部７では下限設定電圧値に検知手段６で検知した上記検知電圧値が一致したときに駆動部３の駆動停止を行うといった、物干し竿４の下降停止制御が行われる。そして、下限停止位置検知手段８は図  のように機構部１６の下方に沿設されているが、下限設定電圧値の設定値を変更するか又は、物干し竿４の吊り下げ長さと検知電圧値との対応関係を変更する下限停止位置調節杆５が備えられており、この下限停止位置調節杆５が下方に臨むように配設されている。なお、下限停止位置調節杆５はドライバー等の工具にて回転操作できるもので、その周囲には物干し竿４の下限停止位置の設定変化量などを記載した目盛り１２が付されている。
【００１５】
検知手段６としては、たとえば図示はしないが、巻き取りドラムや機構部１６内に備えたリング状の抵抗線とこれに接触又は近接させる摺動子とを有し、ワイヤ１５による物干し竿４の吊り下げ長さに応じて抵抗線上で摺動子の位置が変位することで検知電圧が変化するようにされたポテンショメータなどのロータリーセンサを用いることができる。
【００１６】
下限停止位置検知手段８には、たとえば図３（ａ）のように下限停止位置検知手段８に検知手段６で検知した検知電圧値と比較するための下限設定電圧値を制御部７に入電するための設定値用回路２２を備え、下限停止位置調節杆５によって設定値用回路２２における制御部７への入電電圧値の増減を設定できるようにされ、下限設定電圧値の設定値を変更できるようにしたものが採用できる。これによると図３（ｂ）のように設定変更しない検知電圧値との関係で、物干し竿４の下限停止位置を変更することができる。
【００１７】
また下限停止位置検知手段８には、たとえば図４のように検知手段６に接続されるバイアス回路２３を備え、下限停止位置調節杆５によってバイアス回路２３の抵抗値の増減を設定できるようにされ、検知手段６で検出する検知電圧値の基準電圧値を変化させるようにバイアスをかけ、物干し竿４の吊り下げ長さと検知電圧値との対応関係を変更することができるものを採用してもよい。これによっても不変の下限設定電圧値との関係で、物干し竿４の下限停止位置を変更することができる。
【００１８】
上記のように本例の昇降物干し装置１は、ワイヤ１５による物干し竿４の吊り下げ長さに応じて増減する検知電圧値を検知する検知手段６と、下限設定電圧値に上記検知電圧値が一致したときに駆動部３の駆動停止を行う制御部７と、下限設定電圧値の設定値を変更するか又は、物干し竿４の吊り下げ長さと検知電圧値との対応関係を変更する下限停止位置調節杆５とを備えているので、設置する天井の天井高さや使用者の体格などに合わせて、昇降物干し装置１における洗濯物のセット位置である物干し竿４の下限停止位置を、下限停止位置調節杆５の操作によって簡単に設定できるのであり、昇降物干し装置１の良好な使い勝手を簡単に確保することができるのである。
【００１９】
なお、図５のように本体カバー１４は、長手方向の端部部位を構成して下限停止位置調節杆５の下方を覆う端部カバー部１４ｂが竿収容部１０を形成した主カバー部１４ａと分割して構成されており、この端部カバー部１４ｂには爪を有し、この爪を本体ハウジング１３に設けた爪引掛部に引掛け係止することで端部カバー部１４ｂは本体ハウジング１３に対して着脱自在に取り付けられている。しかして、一旦天井に昇降物干し装置１を設置した後にも端部カバー部１４ｂのみを本体ハウジング１３から取り外して、下方に露出させた下限停止位置調節杆５を操作して物干し竿４の下限停止位置を設定することもでき、物干し竿４の下限停止位置の設定作業の簡単化が図られている。
【図面の簡単な説明】
【００２０】
【図１】本発明の実施の形態の例の昇降物干し装置であり、（ａ）は斜視図であり、（ｂ）は特徴を説明する側面図である。
【図２】（ａ）は昇降物干し装置の本体カバーを外した状態の斜視図であり、（ｂ）は（ａ）のＢ部の拡大図である。
【図３】同上の下限位置検知手段の例を説明するものであり、（ａ）は概略の回路図であり、（ｂ）は動作説明図である。
【図４】同上の下限位置検知手段の他例の概略の回路図である。
【図５】同上の昇降物干し装置の端部カバー部を外した状態の斜視図である。
【図６】従来技術の例の昇降物干し装置であり、（ａ）は概略側面図であり、（ｂ）は要部の拡大図である。
【符号の説明】
【００２１】
１  昇降物干し装置
２  本体部
３  駆動部
４  物干し竿
５  下限停止位置調節杆
６  検知手段
７  制御部
８  下限停止位置検知手段
【図１】
0005144159.tif 000002
【図２】
0005144159.tif 000003
【図３】
0005144159.tif 000004
【図４】
0005144159.tif 000005
【図５】
0005144159.tif 000006
【図６】
0005144159.tif 000007